(57)【要約】      （修正有）【課題】移動に便利で、天井への取り付け簡単な照明装置を提供する。【解決手段】バックフレーム１２の外環部１２２の大きさに対応するようリング状に形成され、且つ、バックフレームの外環部を覆うように接続される環状ライトフレーム１３を備えたベースと、バックフレームが接続された側とは反対側から環状ライトフレーム１３に取り付けられる発光モジュール２と、モータ５１の駆動軸に固定される中心部４１及びバックフレームと環状ライトフレームで囲まれる範囲内において中心部４１から外側へ放射状に延伸するメインファンセット４２を有するファンモジュール４と、を備える。【選択図】図３
0003214031.tif 000002
【実用新案登録請求の範囲】
【請求項１】
所定の軸線に沿って延伸し、且つ前記軸線を回転軸として回転する駆動軸を有するモーターを内蔵するセンターボディと、
複数の通気穴が開けられたものであり、且つ、前記センターボディに接続され且つ前記センターボディの周囲から外側へ放射状に延伸する内環部及び前記内環部の周囲から更に外側へ放射状に延伸する外環部を有するバックフレームと、
大きさが前記バックフレームの前記外環部に対応するリング状に形成され、且つ、前記バックフレームの前記外環部を覆うように接続される環状ライトフレームと、を備えたベースと、
前記バックフレームが接続された側とは反対側から前記環状ライトフレームに取り付けられる発光モジュールと、
前記駆動軸に固定される中心部及び前記バックフレームと前記環状ライトフレームで囲まれる範囲内において前記中心部から外側へ放射状に延伸するメインファンセットを有するファンモジュールと、
を備えることを特徴とする照明装置。
【請求項２】
前記モーター及び前記発光モジュールに電気的に接続された制御モジュールを備えることを特徴とする、請求項１に記載の照明装置。
【請求項３】
透光性材料で形成され、且つ前記発光モジュールと前記環状ライトフレームを覆うように取付けられた環状ライトカバーを備えることを特徴とする、請求項１に記載の照明装置。
【請求項４】
前記ベースは天井に装着するための装着フレームを備え、前記センターボディは前記装着フレームから取り外し可能に接続されることを特徴とする、請求項１に記載の照明装置。
【請求項５】
前記モーターは、前記制御モジュールによって正逆回転するように制御されることができることを特徴とする、請求項２に記載の照明装置。
【請求項６】
前記ファンモジュールは、前記メインファンセットよりも前記センターボディ側で前記中心部に固定され、前記中心部から外側へ放射状に延伸するサブファンセットを備え、
前記サブファンセットのファンの面積は前記メインファンセットよりも小さいことを特徴とする、請求項１に記載の照明装置。
【請求項７】
前記モーターの回転速度は変速可能であり、且つ７０ＲＰＭよりも遅い速度に設定できることを特徴とする、請求項２に記載の照明装置。
【請求項８】
前記メインファンセットを介して前記センターボディとは反対側で、前記環状ライトカバーの内周に装着された安全枠を備えることを特徴とする、請求項３に記載の照明装置。
【考案の詳細な説明】
【技術分野】
【０００１】
本考案は照明装置に関し、特に、ファンと共に用いられる照明装置に関する。
【背景技術】
【０００２】
従来の天井に取り付けられるファンとライトの組み合わせ（シーリングファンライト）は、通常ファンがライトの上方（天井側）に位置している。
【先行技術文献】
【特許文献】
【０００３】
【特許文献１】台湾実用新案登録第Ｍ５４１５２２号公報
【特許文献２】台湾特許第５２０４１６号公報
【特許文献３】台湾特許第５２０４１７号公報
【考案の概要】
【考案が解決しようとする課題】
【０００４】
しかし、このような従来の照明装置は、ファンの長さが長く、ファンは一般にライトの外側まで延伸しており、このため照明装置が全体として大きくならざるを得ず、移動に不便なだけでなく、天井への取り付けも手間がかかるという問題がある。
【０００５】
このような問題点に鑑みて、本考案は移動が便利で天井への取り付けが容易な照明装置を提供することを目的とする。
【課題を解決するための手段】
【０００６】
このような問題に鑑みて本考案は以下の構成を備える。すなわち、所定の軸線に沿って延伸し、且つ前記軸線を回転軸として回転する駆動軸を有するモーターを内蔵するセンターボディと、複数の通気穴が開けられたものであり、且つ、前記センターボディに接続され且つ前記センターボディの周囲から外側へ放射状に延伸する内環部及び前記内環部の周囲から更に外側へ放射状に延伸する外環部を有するバックフレームと、前記バックフレームの前記外環部の大きさに対応するようリング状に形成され、且つ、前記バックフレームの前記外環部を覆うように接続される環状ライトフレームと、を備えたベースと、前記バックフレームが接続された側とは反対側から前記環状ライトフレームに取り付けられる発光モジュールと、前記駆動軸に固定される中心部及び前記バックフレームと前記環状ライトフレームで囲まれる範囲内において前記中心部から外側へ放射状に延伸するメインファンセットとを有するファンモジュールとを備える。
【考案の効果】
【０００７】
本考案は、駆動軸に固定される中心部及びバックフレームと環状ライトフレームで囲まれる範囲内において中心部から外側へ放射状に延伸するメインファンセットを有するファンモジュールを備えるので、体積を小さくできることに加え運送も便利であり、ユーザー側の組み立ても簡単である。
【図面の簡単な説明】
【０００８】
【図１】本考案による照明装置を前側から見た場合の斜視図である。
【図２】本実施例を後ろ側から見た場合の斜視図である。
【図３】本実施例の分解斜視図である。
【図４】本実施例の他の角度からの分解斜視図である。
【図５】本実施例の主要部の分解斜視図である。
【図６】本実施例のファンモジュールを後から見た図である。
【図７】本実施例の他の主要部の分解斜視図である。
【図８】本考案の照明装置の他の実施例を示した斜視図である。
【考案を実施するための形態】
【０００９】
以下、図１〜図５を参照して、本考案の第１の実施例を説明する。ここで、図１は本考案による照明装置を前側から見た場合の斜視図であり、図２は本実施例を後ろ側から見た場合の斜視図であり、図３は本実施例の分解斜視図であり、図４は本実施例の他の角度からの分解斜視図であり、図５は本実施例の主要部の分解斜視図である。
【００１０】
本実施例において、照明装置は、ベース１、発光モジュール２（図３）、環状ライトカバー３、ファンモジュール４、制御モジュール５（図５）、安全枠６を備える。
【００１１】
ベース１は、センターボディ１１、バックフレーム１２、環状ライトフレーム１３を備える。センターボディ１１は図３のように略円柱状に形成され、且つ軸線を回転軸として回転する後述する駆動軸を有するモーター５１を内蔵する。バックフレーム１２は風を通すように、複数の通気穴が開けられたものである。
【００１２】
また、バックフレーム１２は、センターボディ１１に接続され且つセンターボディの周囲から外側へ放射状に延伸する内環部１２１及びこの内環部１２１の周囲から更に外側へ放射状に延伸する外環部１２２を有する他、後述する複数のフレーム部１２３を有する。環状ライトフレーム１３は、バックフレーム１２の外環部１２２の大きさに対応するようリング状に形成され、且つ、バックフレーム１２の外環部１２２を覆うように接続される。
【００１３】
また、環状ライトフレーム１３は、バックフレーム１２及びセンターボディ１１と同軸となり、環状ライトフレーム１３、バックフレーム１２及びセンターボディ１１の中心はいずれも同一軸線上となる。
【００１４】
複数のフレーム部１２３は、内環部１２１と外環部１２２を繋ぎ、風を通すことができるようメッシュ状に形成されると共に、環状ライトフレーム１３を支えるのにも用いられる。また、本実施例において、ベース１は天井（図示せず）に実装するための装着フレーム１４を備え、且つセンターボディ１１は装着フレーム１４に対して取り外し可能に接続される。
【００１５】
図３に示すように、発光モジュール２はバックフレーム１２が接続された側とは反対側から環状ライトフレーム１３に設けられる。また、発光モジュール２の形状は環状ライトフレーム１３と対応するように環状に形成される。更に、発光モジュール２は複数の回路基板２１と、複数の発光ユニット２２を備える。これらの回路基板２１はそれぞれが円弧状に形成され、また組み合わされると、環状ライトフレーム１３に対応した環状となる。具体的には、本実施例において、発光ユニット２２は発光ダイオードであるが、これには限られず、その他の実施例としては発光ユニット２２は白熱灯や蛍光灯でも差し支えない。
【００１６】
環状ライトカバー３は、透光性材料で形成され、且つ発光モジュール２と環状ライトフレーム１３を覆うようにベース１に取付けられ、発光モジュール２と環状ライトフレーム１３を遮蔽する。本実施例において、環状ライトカバー３は、環状ライトフレーム１３と図示しないねじで固定される。同様に、環状ライトフレーム１３、バックフレーム１２、センターボディ１１及び装着フレーム１４の間の接続は、結合の程度を良くするため、いずれもねじ止めされる。
【００１７】
ファンモジュール４は、駆動軸に固定される中心部４１、及びバックフレーム１２と環状ライトフレーム１３で囲まれる範囲内において中心部４１から外側へ放射状に延伸するメインファンセット４２とを有する。また、ファンモジュール４は、ファンモジュール４を正面から見たとき、環状ライトフレーム１３（環状ライトカバー３）で囲まれるが、ファンモジュール４のファンは、環状ライトフレーム１３と同一の高さに設けられる。ただし、同一の高さよりも若干高く若しくは若干低いところに位置するよう取り付けても差し支えない。このように、ファンモジュール４の外周は環状ライトカバー３の内周からはみ出さないので、全体の体積を比較的小さくすることができ、包装が容易で、且つ照明機能を発揮する際にも悪影響が少ない。
【００１８】
図５を参照して説明する。制御モジュール５は、センターボディ１１内に設けられ、且つファンモジュール４を動作させるモーター５１に加え、発光モジュール２にも電気的に接続される。ここで、センターボディ１１は略円筒状の本体部１１１と、この本体部１１１の大きさに対応した背蓋１１２を備え、これらによって制御モジュール５を収容する空間を画成する。
【００１９】
制御モジュール５は、ファンモジュール４を駆動するためのモーター５１と発光モジュール２に接続される。また、モーター５１は、正逆回転することにより、ファンモジュール４が地面へ向けて風を起こし、或いは天井に向けて風を起こすように制御モジュール５により制御される。
【００２０】
例えば、夏の暑い時期はファンモジュール４に地面（床）へ向けて風を起こさせるようにすれば、室内のユーザーの体感温度を下げることができる。また、冬の寒い時期にファンモジュール４に天井へ向けて風を起こすようにすれば、天井付近に集まった熱気を拡散してこの熱気を沈下させることにより、結果的に室内のユーザーがいる付近の室温を温めることができる。
【００２１】
本実施例において、ファンモジュール４は、制御モジュール５により、それぞれ異なる速度に対応した複数の回転モードのいずれかで動くように制御される。ここで、例えば低速の回転モードは７０ＲＰＭよりも遅い速度に設定できる。具体的には、本実施例において、ファンモジュール４のモーター５１の駆動による回転速度は、５０ＲＰＭから１０００ＲＰＭである。制御モジュール５の制御回路（図示せず）は、モーター５１が複数の所定の回転速度におけるいずれかで回転するよう設定することができ、ファンモジュール４を異なる回転モードで回転させることができる。例えば、複数の所定の回転速度は、５０ＲＰＭ、１００ＲＰＭ、１５０ＲＰＭ、２００ＲＰＭ、．．．、７５０ＲＰＭ、８００ＲＰＭのように５０ＲＰＭ毎に回転モードを設定することができるものとし、この例では全部で１６個の回転モードで動くことができ、回転速度が速くなればなるほど、風量が大きくなる。
【００２２】
ユーザーは好みに応じて回転モードを選ぶことができ、最適な風量を提供できる。特に本実施例では、７０ＲＰＭより低い回転モードで生成される極めて微弱な気流は、殆ど風の流れを感じることなく、ゆるやかに風が流れる環境を作り出すために用いられ、この環境内にいるユーザーは、ゆるやかな風の流れの効果で気分が安定し心が穏やかになり易い。
【００２３】
図６を参照すると、本実施例では、ファンモジュール４はシャフトとしての中心部４１及び中心部４１に軸方向に沿って間隔を空けて設けられたメインファンセット４２とサブファンセット４３を備える。
【００２４】
サブファンセット４３は、メインファンセット４２よりもセンターボディ１１側で中心部４１に固定され、中心部４１から外側へ放射状に延伸する。また、サブファンセット４３のファンの面積はメインファンセット４２よりも小さい。
【００２５】
ここで、メインファンセット４２とサブファンセット４３はそれぞれ複数のファンを有する。なお、本実施例ではメインファンセット４２とサブファンセット４３はそれぞれ７個ずつのファンを有する。ただし、ファンの数は適宜増減可能であり、これには限られない。
【００２６】
センターボディ１１が装着フレーム１４によって天井に固定されたとき、サブファンセット４３はメインファンセット４２の上方に位置し、メインファンセット４２が第１の方向に回転して地面に向かって風を起こすとき、メインファンセット４２の上方と天井の間には比較的気圧が低い領域が発生することとなるが、サブファンセット４３によって気流を引き込んでメインファンセット４２の上方の負圧を解消することができるので、メインファンセット４２の上方で乱気流が発生するのを防ぐことができ、全てのファンの回転時のバランスを保つのに役立つ。なお、気流が発生することを達成できさえすれば足りるのであれば、応用例として、単一のファンセットのみがあれば足り、例えば図８のようにメインファンセット４２のみが有れば足りる。
【００２７】
安全枠６は環状ライトフレーム１３の内周に接続される。また、安全枠６は、ファンモジュール４のセンターボディ１１の一側（装着フレーム１４側）とは反対側に位置するので、異物が入りにくく、ファンモジュール４やモーター５１が故障しにくい。なお、応用例として、安全枠６は省略することも可能である。
【００２８】
図７を参照して本実施例を説明する。ここで、図７は本実施例の他の主要部の分解斜視図である。図７の実施例では、装着フレーム１４以外の構成を予め工場で組み立てて完成しておき、ユーザー側が天井に装着するときは、装着フレーム１４を天井に固定しさえすれば、センターボディ１１を装着フレーム１４に括り付けて固定すれば足りる。
【００２９】
また、センターボディ１１は装着フレーム１４と組み合わされるスロット１１３を備えるので、センターボディ１１を、スロット１１３を介して装着フレーム１４と噛み合うようにある程度の位置を決めてから、センターボディ１１を回転させてスロット１１３の落下防止機構（図示せず）に嵌め込むことによりセンターボディ１１を装着フレーム１４に取り付けることができる。そのため、ファンのパッケージを解体しユーザー側で再びファンを組み立てる必要がある大型のファンライトと比較し、本実施例によれば体積を小さくできることに加え、運送も便利であり、ユーザー側の組み立ても簡単で操作が容易である。
【００３０】
他の応用例として、ファン付きの照明装置はサポートフレーム（図示せず）に装着しても差し支えなく、天井には限られない。
【００３１】
以上の説明は、本考案の実施例に過ぎず、これを以って実用新案登録請求の範囲を限定するものではない。また、本考案の実用新案登録請求の範囲及び明細書の内容に簡単な付加や変化を加えたに過ぎないものについても、実用新案登録請求の範囲に記載された考案の技術的範囲に属するものとする。
【符号の説明】
【００３２】
１        ベース
２        発光モジュール
３        環状ライトカバー
４        ファンモジュール
５        制御モジュール
６        安全枠
１１      センターボディ
１２      バックフレーム
１３      環状ライトフレーム
１４      装着フレーム
４１      中心部
４２      メインファンセット
４３      サブファンセット
５１      モーター
１２１    内環部
１２２    外環部
１２３    フレーム部
【図１】
0003214031.tif 000003
【図２】
0003214031.tif 000004
【図３】
0003214031.tif 000005
【図４】
0003214031.tif 000006
【図５】
0003214031.tif 000007
【図６】
0003214031.tif 000008
【図７】
0003214031.tif 000009
【図８】
0003214031.tif 000010